(57)【要約】【課題】  建築物の下り棟又は谷構造に適用される化粧部材、及び建築物の納め構造を提供する。【解決手段】  本発明の建築物の納め構造は、軒側成形部１２及び棟側成形部１３を有する横葺き外装材１と、本体部３１と該本体部３１の軒側縁を折り下げられた傾斜部３２とを有し、傾斜部３２には略中央にプレス成形による円弧状部分３２１を備える化粧部材３と、該化粧部材３の裏面側に配される排水手段２とからなる建築物の納め構造であり、隣接する横葺き外装材１，１間からの水の浸入を排水手段２にて防止すると共に軒側へ水を流下させ、隣接する横葺き外装材１，１間を化粧部材３にて塞ぐように配設してなることを特徴とする【選択図】  図２
2005146792.tif 000002
【特許請求の範囲】
【請求項１】
本体部と該本体部の軒側縁を折り下げられた傾斜部とを有し、傾斜部には略中央にプレス成形による円弧状部分を備えることを特徴とする化粧部材。
【請求項２】
傾斜部は、配設時に隣接する横葺き外装材の軒側成形部と略平行状の直線状部分を備え、該直線状部分には、裏面内側へ延出する折り返し部を形成したことを特徴とする請求項１に記載の化粧部材。
【請求項３】
軒側成形部及び棟側成形部を有する横葺き外装材と、本体部と該本体部の軒側縁を折り下げられた傾斜部とを有し、傾斜部には略中央にプレス成形による円弧状部分を備える化粧部材と、該化粧部材の裏面側に配される排水手段とからなる建築物の納め構造であり、
隣接する横葺き外装材間からの水の浸入を排水手段にて防止すると共に軒側へ水を流下させ、隣接する横葺き外装材間を化粧部材にて塞ぐように配設してなることを特徴とする建築物の納め構造。
【請求項４】
化粧部材は、その側縁が隣接する横葺き外装材に重合状に配されていることを特徴とする請求項３に記載の建築物の納め構造。
【請求項５】
化粧部材は、その本体部の棟端が固定されていることを特徴とする請求項３又は４に記載の建築物の納め構造。
【発明の詳細な説明】
【技術分野】
【０００１】
本発明は、建築物の下り棟又は谷構造に適用される化粧部材、及び建築物の納め構造に関する。
【背景技術】
【０００２】
従来、横葺き屋根の下り棟等を意匠性よく仕上げるものとして、円弧状の化粧材もしくは外装材を用いる「廻し葺き」と称される葺き形式があり、次のような構造、手法が採られている。
例えば特許文献１は、廻し葺き用の屋根材（「はまぐり」と称される）を用いるものである。
しかし、この構造では、廻し葺き用屋根材と捨て板、屋根材と捨て板がそれぞれ折り返し片等の係合によって組み付けられているため、高い寸法精度が求められる上に、作業性もよくなかった。
また、この廻し葺き用屋根材は、左右側縁、上下（軒棟）側縁がそれぞれ所定の形状に折曲成形されているため、加工に手間と費用が掛かるものであった。また、屋根材と廻し葺き用屋根材が係合しているため、屋根材の熱伸縮に対応できないという問題もあった。
特許文献２は、加工時に発生する「シワ」を「絞り加工」を施すことで吸収しようとするものであるが、この加工を施した「はまぐり」は「絞り加工」部分が目視されてしまう（同公報図１６，図１７参照）ため、意匠上好ましくなかった。さらに、このような加工は、どのような材質、板厚にも対応できるものではなかった。
【特許文献１】特許第３１６４２２５号公報
【特許文献２】特公平６−２１４９６号公報
【発明の開示】
【発明が解決しようとする課題】
【０００３】
そこで、本発明は、面倒な加工を必要とせず、建築物の下り棟又は谷構造に適用できる化粧部材、及び納め構造を提供することを目的とする。
【課題を解決するための手段】
【０００４】
本発明は上記に鑑み提案されたもので、本体部と該本体部の軒側縁を折り下げられた傾斜部とを有し、傾斜部には略中央にプレス成形による円弧状部分を備えることを特徴とする化粧部材に関するものである。
【０００５】
上記化粧部材においては、傾斜部は、配設時に隣接する横葺き外装材の軒側成形部と略平行状の直線状部分を備え、該直線状部分には、裏面内側へ延出する折り返し部を形成することが望ましい。
【０００６】
また、本発明は、上記化粧部材を配設してなる建築物の納め構造をも提案するものであり、即ち化粧部材と、軒側成形部及び棟側成形部を有する横葺き外装材と、前記化粧部材の裏面側に配される排水手段とからなる建築物の納め構造であり、隣接する横葺き外装材間からの水の浸入を排水手段にて防止すると共に軒側へ水を流下させ、隣接する横葺き外装材間を化粧部材にて塞ぐように配設してなることを特徴とする。
【０００７】
上記納め構造において、排水手段とは、化粧部材及び横葺き外装材の裏面側に配設される長尺な下地材、樋材、或いは各段毎に配設される捨て板等を含むものである。
また、化粧部材は、その側縁が隣接する横葺き外装材に重合状に配されていることが望ましい。
さらに、化粧部材は、その本体部の棟端が固定されていることが望ましい。
【発明の効果】
【０００８】
本発明の化粧部材は、形状が簡易であるため、加工が容易であり、加工が面倒な廻し葺き外装材を用いた場合とほぼ同様な意匠感を有する納め構造を得ることができる。
【０００９】
特に傾斜部が、配設時に隣接する横葺き外装材の軒側成形部と略平行状の直線状部分を備え、該直線状部分には、裏面内側へ延出する折り返し部を形成した場合、折り返し部を横葺き外装材の軒側折曲部に被嵌させることにより、化粧部材の浮き上がりを抑えることができる。
また、その結果、前述の従来例のように廻し葺き用外装材の軒側及び棟側に相互に係合する成形部を成形する必要がなくなり、特に化粧部材の棟側の形状を簡略化でき、成形手間、コストの削減を図ることができる。
【００１０】
また、本発明の建築物の納め構造は、上述の化粧部材を用いるので、加工の面倒な廻し葺き用外装材を用いることなくほぼ平坦な意匠を醸し出すことができ、当該下り棟、谷等の取り合い部分で化粧部材が表面側に隆起することがない意匠性の優れた納め構造を提供する。
【００１１】
特に化粧部材の側縁が隣接する横葺き外装材に重合状に配されている場合、化粧部材の本体部に注がれる雨水等を横葺き外装材上へ導くことができ、雨水を軒側へ流下させることができる。
また、化粧部材の本体部の棟端を固定した場合、前述の裏面内側に延出する折り返し部を形成した構成と相俟って、安定な固定構造が得られるものとなる。
【発明を実施するための最良の形態】
【００１２】
化粧部材の傾斜部は、配設時において隣接する横葺き外装材の軒側成形部と略平行状の直線状部分を備え、該直線状部分には、裏面内側に延出する折り返し部を有する。また、化粧部材は、その側縁が隣接する横葺き外装材に重合状に配されている。さらに、化粧部材は、その本体部の棟端が固定されている。
【実施例１】
【００１３】
本発明の化粧部材３は、下り棟や谷構造等の納め構造に適用されるものであって、本体部３１と該本体部３１の軒側縁を折り下げられた傾斜部３２とを有し、傾斜部３２には略中央にプレス成形による円弧状部分３２１を備える構成である。
まず、図１に示す下り棟の実施例に基づいて各構成を説明する。
【００１４】
本発明の化粧部材３は、図１に示すように略菱形状の本体部３１の略２辺状の軒側縁を傾斜状に折り下げた傾斜部３２を有し、略中央部分（芯部）に位置する傾斜部３２はプレス成形による円弧状部分３２１となっている。上記各部位の具体的な構成（構造，形状）或いは上記以外の構成については特に限定するものではなく、どのように設計、実施してもよく、例えばプレス成形等により作製すればよい。
図示実施例では、略中央部分（円弧状部分３２１）以外に位置する傾斜部３２は直線状部分３２２となっている。この直線状部分３２２は、配設時に隣接する横葺き外装材１の軒側成形部１２（下方傾斜部１２１）と略平行状となるものであって、この直線状部分３２２には、裏面内側へ延出する折り返し部３４が形成されている。この折り返し部３４は、横葺き外装材１の軒側成形部１２に近似する形状であることが望ましく、その配設時において隣接する横葺き外装材１の軒側折曲部１２に被嵌（その外側へ重合）させることにより、化粧部材３の浮き上がりを抑えることができる。その場合、隣接する化粧部材３と横葺き外装材１の軒側構造が一致しているので、その下段側に配する横葺き外装材１の棟側成形部１３との係合構造において段差が生じたりすることがない。また、折り返し部３４は円弧状部分３２１には形成されないが、加工が困難とならない範囲で、即ち短幅の折り返し状の水返し部３５を設けるようにしてもよい。
【００１５】
この化粧部材３の形状は、図示実施例のように下り棟の場合には略はまぐり状としたが、各種納め構造に応じた形状とすればよいので、特に限定するものではない。
この化粧部材３の傾斜部３２の円弧状部分３２１の長さは、隣接する横葺き外装材１，１の側縁の最軒端の位置によって選択すればよく、横葺き外装材１，１の側縁が成形部（１２，１３）に対して略鉛直状（棟側と軒側が同じ幅）に形成されている場合には、隣接する横葺き外装材１，１の側縁の最軒端どうしの間隔が大きいため、化粧部材３の円弧状部分３２１は長くなり、図示実施例のように横葺き外装材１，１の側縁が成形部（１２，１３）に対して傾斜状（棟側より軒側が広幅）に形成されている場合には、隣接する横葺き外装材１，１の側縁の最軒端どうしの間隔が小さいため、化粧部材３の円弧状部分３２１は短くてよい。
また、化粧部材３の側縁３１１、即ち桁行き方向の端部は、図示実施例のように横葺き外装材１の側縁に重合するような幅に形成されることが望ましい。化粧部材３と横葺き外装材１との重合部分は、止水材（定形・不定形）を配してもよい。この化粧部材３の側縁３１１は図示実施例のように下方傾斜状に成形してもよい。傾斜状にすることで重合時に軽い弾性により横葺き外装材１の面板部１１表面との隙間を無くすことができる。
さらに、化粧部材３は、図示実施例のように本体部３１の棟端に延出部３６（固定孔３６１）を設けて固定してもよいし、延出部３６を吊子等の保持部材４で固定してもよい。
また、この化粧部材３の桁行き方向の両端部は、端部保護の観点からあざ折りを設けるようにしてもよい。
尚、この化粧部材３の素材としては、後述する横葺き外装材１と同じ素材のものを使用することができ、前述のようにプレス成形等により作製することができる。
【００１６】
本発明の建築物の納め構造は、前記構成の化粧部材３と、軒側成形部１２及び棟側成形部１３を有する横葺き外装材１と、前記化粧部材３の裏面側に配される排水手段２とからなる。そして、隣接する横葺き外装材１，１間からの水の浸入を排水手段２にて防止すると共に軒側へ水を流下させ、隣接する横葺き外装材１，１間を化粧部材３にて塞ぐように配設する。
次に、この納め構造に用いる横葺き外装材１及び排水手段２について説明する。
【００１７】
本発明に用いる横葺き外装材１は、略平坦状の面板部１１の軒縁と棟縁に、相互に係合可能であって、面板部１１の軒端を裏面側へ折り下げた軒側成形部１２及び棟端を表面側へ立ち上げた棟側成形部１３を有する横葺き形式の構成であればよく、上記各部位の具体的な構成（構造，形状）或いは上記以外の構成については特に限定するものではなく、どのように設計、実施してもよい。
【００１８】
この横葺き外装材１の素材としては、溶融亜鉛メッキ鋼板やガルバリウム鋼板等の防錆処理鋼板、特殊鋼及び非鉄金属、ステンレス鋼板、耐候性鋼板、銅板、アルミニウム合金板、鉛板、亜鉛板、チタニウム板などを素材として使用することができるが、特にこれらに限定されるものではない。成形法についても、何ら限定するものではなく、素材が金属板の場合にはロール成形（ロールフォーミング）やプレス成型、或いは両者の組合せにより成形（成型）される。
【００１９】
また、前記横葺き外装材１の面板部１１の軒縁に設ける軒側成形部１２は、図２（ｂ）に示すように面板部１１の軒端縁を下方へ折曲して下方傾斜部１２１を形成し、続いて棟側へ折り返し状に延出して上向き傾斜させ、なだらかな山状に屈曲させ、さらに水上側へ延在させて折返し部１２２を形成し、さらにその先端を裏面側に折り返した構成としてもよい。
面板部１１の棟縁に設ける棟側成形部１３は、図２（ｂ）に示すように面板部１１から同一平面状に棟側へ延在する端縁を表面側に折り返して軒側へ延在させて係合溝１３１を形成し、続いてその端縁を表面側に折り返して軒側へ延在させ、さらにその端縁を軒側下方へなだらかな谷状に屈曲させ、さらに上向き傾斜する案内部１３２を備える構成としてもよい。
そして、図示実施例の横葺き外装材１は、軒側成形部１２と棟側成形部１３とが、敷設状態において複数箇所でそれぞれが弾性的に当接している構成とした。そのため、図示実施例の横葺き外装材１は、複数の弾性的当接によって、係合、抜け止め、雨仕舞性、強固な接合（当接）などの効果が果たされる。
【００２０】
また、この横葺き外装材１の側縁、即ち桁行き方向の端部は、端部保護の観点から裏面側に折り返してもよいし、また裏面側に捨て板を介在させない場合、図示実施例のように侵入水を下地材２Ａ、樋材２Ｂ等に円滑に導くために側縁を略垂直状に折り下げるようにしてもよい。
この横葺き外装材１の側縁は、前述のように成形部（１２，１３）に対して略鉛直状（棟側と軒側が同じ幅）に形成してもよいし、傾斜状（棟側より軒側が広幅）に形成して略中央部分（芯部）に沿う形状であってもよい。
【００２１】
排水手段２は、前述のように化粧部材３及び横葺き外装材１の裏面側に配設される長尺な下地材２Ａ、樋材２Ｂ、或いは各段毎に配設される捨て板２Ｃ等を含み、それらを組み合わせて用いるようにしてもよい。尚、図面には符号２を付記していないが、総括的な説明において排水手段２とする。
各段毎に配設される捨て板２Ｃは、軒側縁が下段側の横葺き外装材１の棟側成形部１３上に載置もしくは折り返し部を設けて係合し、棟側縁が当該段の横葺き外装材１、化粧部材３の棟端より棟側まで延出するものが用いられる。この捨て板２Ｃの折り返し部は、少なくとも化粧部材３の配設箇所に設ければよいが、横葺き外装材１の配設箇所にも形成してよい。また、捨て板２Ｃの折り返し部は、横葺き外装材１、化粧部材３の内面に沿う形状からなるのが好ましい。
また、捨て板２Ｃは、左右（異なる屋根面）に沿うように折曲したものでもよいし、図３（ｃ）に示す図示実施例のように左右が別体のものを重合或いは一体化したものでもよく、重合する場合、平坦状でも湾曲状（円弧状）でもよく、下り棟用の場合は上方へ膨出状となるが、後述する谷用の場合は窪み状の円弧状となる。また、重合する場合、止水材（定形、不定形）を配してもよい（谷用の場合は特に有用）。捨て板２Ｃの棟端には、横葺き外装材１や化粧部材３の棟端（裏面形状）に沿う止水部材（定形、不定形）を配してもよい。
さらに、捨て板２Ｃは、棟端を吊子等の保持部材４によって固定するものでもよい（この場合、捨て板２Ｃを単独で固定しても、横葺き外装材１や化粧部材３と共に保持部材４で固定するものでもよい）。
【００２２】
これら化粧部材３、横葺き外装材１、排水手段２（下地材２Ａ、樋材２Ｂ）からなる下り棟（納め構造）を施工する場合、図３（ｂ）に示すような下地構造を採用することができる。
同図における５１はビスであって、化粧部材３の延出部３６に設けた固定孔３６１に取り付けられ、化粧部材３の棟端を下地材２Ａに固定するものであり、５２はピース状のフレーム材であって、下地材２Ａを固定するものである。
【００２３】
図２（ａ）の下り棟（納め構造）を施工するには、前記フレーム材５２等を用いて排出手段（下地材２Ａ、樋材２Ｂ）を固定した後、左右の横葺き外装材１，１をそれぞれ配設する。その際、隣接する横葺き外装材１，１は、側縁どうしが一定の隙間を隔てて敷設され、下段側の横葺き外装材１とは軒側成形部１２と棟側成形部１３とが係合するように保持部材４にて取り付け施工される。
その後、隣接する横葺き外装材１，１間を覆うように化粧部材３を配する。その際、化粧部材３は軒側から棟側へスライドするように配し、直線状部分３２２の軒端に延設された折り返し部３４を、横葺き外装材１の軒側折曲部１２に被嵌（その外側へ重合）させ、棟端の延出部３６（固定孔３６１）をビス５１で固定する。
同様な操作を軒段側から棟段側へ向かって順次繰り返して施工する。
【００２４】
このように施工される図２（ａ）の下り棟（納め構造）に用いられる化粧部材３は、形状が簡易であるため、加工が容易であり、加工が面倒な廻し葺き外装材を用いた場合とほぼ同様な意匠感を有する納め構造を得ることができる。
また、本発明の化粧部材３は、本体部３１と傾斜部３２とを有し、傾斜部３２には略中央にプレス成形による円弧状部分３２１を備える構成であるため、化粧のための表面処理を施した金属板等を使うことができる。即ち傾斜状ではなく鉛直状等であってもプレス成形は可能であるが、成形加工に際し、鉛直状部分等にキズが付いたり、塗膜等の表面処理が剥離したりするという問題が生ずるため、場合によってはプレス成形後に再度表面処理を施す必要が生ずる場合もある。本発明では傾斜状とすることにより、このような問題を生ずることなく、表面処理を施した金属板等をそのままプレス成形して化粧部材３とすることができる。
【００２５】
特に図示実施例では傾斜部３２が、配設時に隣接する横葺き外装材１の軒側成形部１２と略平行状の直線状部分３２２を備えると共に、裏面内側へ延出する折り返し部３４を形成したので、折り返し部３４を横葺き外装材１の軒側折曲部１２に被嵌させることにより、化粧部材３の浮き上がりを抑えることができる。
また、その結果、前述の従来例のように廻し葺き用外装材の軒側及び棟側に相互に係合する成形部を成形する必要がなくなり、特に化粧部材３の棟側の形状を簡略化でき、成形手間、コストの削減を図ることができる。
【００２６】
また、本発明の建築物の納め構造は、上述の化粧部材３を用いるので、加工の面倒な廻し葺き用外装材を用いることなくほぼ平坦な意匠を醸し出すことができ、この下り棟の取り合い部分（納め部分）で化粧部材３が隣接する横葺き外装材１，１と略同一平面状に配設されるため、表面側に隆起することがなく、意匠性の優れた構造を構築する。
【００２７】
特に図示実施例では化粧部材３の側縁３１１が隣接する横葺き外装材１に重合状に配されているので、化粧部材３の本体部３１に注がれる雨水等を横葺き外装材１上へ導くことができ、雨水を軒側へ流下させることができる。より詳しくは、止水材等を用いない限りは、僅かな雨水等は重合部分から裏面側へ浸入するが、裏面側へ浸入した雨水は、化粧部材３の裏面側に位置する横葺き外装材１上を軒側へ流下したり、後述する排水手段２によって軒側へ流下する。ここでは、重合させることにより、化粧部材３と横葺き外装材１との間隔を実質的になくすことにより、浸入する雨水等の量を著しく低減することができる。
また、化粧部材３の本体部３１の棟端（延出部３６）を固定したので、折り返し部３４を形成して横葺き外装材１の軒側折曲部１２に被嵌した構成と相俟って、安定な固定構造が得られる。
【００２８】
図４は、谷構造に適用される本発明の化粧部材３０を示し、該化粧部材３０を適用した納め構造の一例を図５及び図６に示した。この化粧部材３０、並びにそれに用いられる横葺き外装材１０、及び排水手段２０（下地材２０Ａ，樋材２０Ｂ）は、前記化粧部材３、横葺き外装材１、及び排水手段２（下地材２Ａ，樋材２Ｂ）と各部位の形状などが異なるに過ぎず、基本的な構成は共通であり、同一符号を付して説明を省略する。尚、前記下り棟では、「軒縁」に相当する部分が広く、「棟縁」に相当する部分が狭い構造であったが、この谷構造では、「棟縁」に相当する部分が広く、「軒縁」に相当する部分が狭い構造である。
【００２９】
このように施工される図５及び図６の本発明の谷構造（納め構造）は、加工の面倒な廻し葺き用外装材を用いることなくほぼ平坦な意匠を醸し出すことができ、この谷構造の取り合い部分（納め部分）で化粧部材３が隣接する横葺き外装材１，１と略同一平面状に配設されるため、表面側に隆起することがなく、意匠性の優れた構造を構築する。
【００３０】
以上本発明を図面の実施の形態に基づいて説明したが、本発明は前記実施の形態に限定されるものではなく、特許請求の範囲に記載の構成を変更しない限りどのようにでも実施することができる。
【産業上の利用可能性】
【００３１】
下り棟や谷構造、或いはその他の各種の納め構造に対応することができる。
【図面の簡単な説明】
【００３２】
【図１】（ａ）下り棟に適用する本発明の化粧部材の一実施例を示す平面図、（ｂ）そのＡ−Ａ線における断面図、（ｃ）そのＢ−Ｂ線における断面図である。
【図２】（ａ）図１の化粧部材を用いた本発明の納め構造を下り棟に適用した一実施例を示す射影図、（ｂ）その側断面図である。
【図３】（ａ）図１の化粧部材を用いた本発明の納め構造を下り棟に適用した一実施例の施工途中の状態を示す平面図、（ｂ）その縦断面図、（ｃ）排水手段としての捨て板の一例を示す縦断面図である。
【図４】（ａ）谷構造に適用する本発明の化粧部材の一実施例を示す平面図、（ｂ）そのＡ−Ａ線における断面図、（ｃ）そのＢ−Ｂ線における断面図である。
【図５】図４の化粧部材を用いた本発明の納め構造を谷構造に適用した一実施例を示す射影図である。
【図６】（ａ）図４の化粧部材を用いた本発明の納め構造を下り棟に適用した一実施例の縦断面図、（ｂ）その施工途中の状態を示す平面図、（ｃ）その側断面図である。
【符号の説明】
【００３３】
１，１０  横葺き外装材
１１  面板部
１２  軒側成形部
１３  棟側成形部
２Ａ，２０Ａ  下地材
２Ｂ，２０Ｂ  樋材
２Ｃ  捨て板
３，３０  化粧部材
３１  本体部
３２  傾斜部
３２１  円弧状部分
３２２  直線状部分
３４  折り返し部
３６  延出部
４  保持部材
【図１】
2005146792.tif 000003
【図２】
2005146792.tif 000004
【図３】
2005146792.tif 000005
【図４】
2005146792.tif 000006
【図５】
2005146792.tif 000007
【図６】
2005146792.tif 000008